(57)【要約】【課題】エレベータのリニューアルに際し、新規の巻上機を少ない作業人員で簡単かつ安全に機械室まで揚重することができる巻上機の揚重装置と揚重方法を提供する。【解決手段】揚重ステージ２１は、搬送台車１６が載置される水平部２１ｃと、水平部２１ｃの一端部から外側に向かって上り勾配で連続する出入口側の傾斜部２１ａと、水平部２１ｃの他端部から外側に向かって上り勾配で連続する昇降路側の傾斜部２１ｂとを有しており、この揚重ステージ２１を昇降路８内に設置した後、機械室１に設置された電動チェーンブロック７を操作して巻上機１７を揚重ステージ２１上に移動させて機械室１まで吊上げるようにした。【選択図】図１
2017171457.tif 000002
【特許請求の範囲】
【請求項１】
巻上機が搭載された搬送台車と、前記搬送台車を昇降路内に案内する揚重ステージと、前記揚重ステージ上に搬送された前記巻上機を昇降路の頂部に設置された機械室に吊り上げる揚重手段とを備え、
前記揚重ステージは、前記搬送台車が載置される水平部と、前記水平部の一端部から外側に向かって上り勾配で連続する出入口側の傾斜部と、前記水平部の他端部から外側に向かって上り勾配で連続する昇降路側の傾斜部とを有していることを特徴とする巻上機の揚重装置。
【請求項２】
前記水平部に対する前記昇降路側の傾斜部の傾斜角度が前記水平部に対する前記出入口側の傾斜部の傾斜角度よりも大きく設定されていることを特徴とする請求項１に記載の巻上機の揚重装置。
【請求項３】
前記昇降路側の傾斜部の上面に制動部材が設けられていることを特徴とする請求項１に記載の巻上機の揚重装置。
【請求項４】
前記搬送台車は前記揚重ステージ上を転動する複数のローラを有しており、前記揚重ステージの側縁部に前記ローラの脱落を防止する立上がり部が設けられていることを特徴とする請求項１に記載の巻上機の揚重装置。
【請求項５】
搬送台車に搭載した巻上機を乗りかご内に搬入して最上階または最上階近辺の階まで搬送する工程と、
前記乗りかご内に搬入した前記巻上機を前記搬送台車に搭載したまま前記最上階または最上階近辺の乗り場床に搬出する工程と、
前記乗りかごを前記最上階または最上階近辺の階の下方位置に停止させた状態で、該乗りかごの上方の昇降路内に揚重ステージを設置する工程と、
前記搬送台車を前記揚重ステージ上に移動して前記巻上機を前記昇降路内に搬入する工程と、
前記昇降路の頂部の機械室に設置された揚重手段によって前記巻上機を前記昇降路内で吊り上げる工程とを備え、
前記揚重ステージは、前記搬送台車が載置される水平部と、前記水平部の一端部から外側に向かって上り勾配で連続する出入口側の傾斜部と、前記水平部の他端部から外側に向かって上り勾配で連続する昇降路側の傾斜部とを有し、
前記出入口側の傾斜部の端部を前記最上階または最上階近辺の階の床レベルに合わせた状態で前記揚重ステージが前記昇降路内に固定されることを特徴とする巻上機の揚重方法。      
【発明の詳細な説明】
【技術分野】
【０００１】
本発明は、新規の巻上機を機械室に揚重するための巻上機の揚重装置および揚重方法に関するものである。
【背景技術】
【０００２】
エレベータのリニューアルに際し、重量物である新規の巻上機を機械室へ搬入する作業は、顧客の利便性を考慮してエレベータの停止時間を短くして揚重することが望ましい。そのため、通常はエレベータを運行しながらクレーン等の重機を用いて揚重を行うことにより、巻上機を昇降路頂部の機械室へ運搬するようにしている。
【０００３】
しかし、リニューアルの需要の大多数を占める都市部においては、エレベータの設置された建屋周辺の道路事情や建屋の密集状態よってクレーン等の重機を使用できない場合が多く、また、屋上から機械室まで階段や段差等がある場合も重機を用いての搬入が困難となるため、クレーン等の重機による揚重に代わる巻上機の揚重方法が求められている。
【０００４】
そこで従来より、特許文献１に記載されているように、巻上機が搭載された揚重台を吊り下げて揚重する電動チェーンブロックなどの揚重手段と、ローラなどの案内部を有して揚重台に取付けられた案内部材とを備え、この案内部を昇降路壁に押し当てて揚重台を水平方向に規制しながら上下方向に移動することにより、巻上機が搭載された揚重台を所定高さまで搬送するようにした巻上機の揚重装置が提案されている。
【０００５】
このように構成された巻上機の揚重装置によれば、新規の巻上機が揚重される際に水平方向に揺動しようとしても、案内部材が昇降路壁に対して水平方向に規制し、巻上機が昇降路壁に衝突することがないため、揚重作業に多大な時間を要することなく巻上機を容易に揚重することができる。
【先行技術文献】
【特許文献】
【０００６】
【特許文献１】特開２０１０−２４７９１７号公報
【発明の概要】
【発明が解決しようとする課題】
【０００７】
しかしながら、特許文献１に開示された従来技術では、巻上機が搭載された揚重台を引き込み階のエレベータホールから機械室まで揚重する作業に際し、機械室に設置した電動チェーンブロックなどの揚重手段を操作する作業者と、揚重台を引き込み階のエレベータホールから昇降路内に搬送する作業者とが最低でも２人必要であるばかりでなく、作業現場が離れている機械室と引き込み階のエレベータホールでの２人作業となるため、作業者同士の合図の確認や作業状態など安全確認が困難になるという問題があった。また、巻上機が搭載された揚重台を引き込み階のエレベータホールから昇降路内に搬送する際には、機械室に設置した電動チェーンブロックなどの揚重手段を細心の注意を払いながら操作することになるが、このとき揚重台は電動チェーンブロックのチェーンのみで連結されているだけで案内などされていないため、昇降路内に搬送された瞬間に振り子状態となり、揚重台が前後に振れて安定しない状態で吊られるという問題があった。しかも、引き込み階のエレベータホールの作業者は人力で揚重台を支えなければならず、作業者が昇降路内へ転落する危険性があるという安全面にも問題があった。
【０００８】
本発明は、このような従来技術の実情に鑑みてなされたもので、その目的は、新規の巻上機を少ない作業人員で簡単かつ安全に機械室まで揚重することができる巻上機の揚重装置と揚重方法を提供することにある。
【課題を解決するための手段】
【０００９】
上記の目的を達成するために、本発明による巻上機の揚重装置は、巻上機が搭載された搬送台車と、前記搬送台車を昇降路内に案内する揚重ステージと、前記揚重ステージ上に搬送された前記巻上機を昇降路の頂部に設置された機械室に吊り上げる揚重手段とを備え、前記揚重ステージは、前記搬送台車が載置される水平部と、前記水平部の一端部から外側に向かって上り勾配で連続する出入口側の傾斜部と、前記水平部の他端部から外側に向かって上り勾配で連続する昇降路側の傾斜部とを有していることを特徴としている。
【発明の効果】
【００１０】
本発明によれば、新規の巻上機を少ない作業人員で簡単かつ安全に機械室まで揚重することができる。なお、上記した以外の課題、構成および効果は、以下の実施形態の説明により明らかにされる。
【図面の簡単な説明】
【００１１】
【図１】実施形態例に係る巻上機揚重方法の作業開始状態を示す説明図である。
【図２】実施形態例に係る巻上機揚重方法の作業途中状態を示す説明図である。
【図３】実施形態例に係る巻上機揚重方法の作業途中状態を示す説明図である。
【図４】実施形態例に係る巻上機揚重方法の作業途中状態を示す説明図である。
【図５】実施形態例に係る巻上機揚重方法の作業終了状態を示す説明図である。
【図６】実施形態例に係る巻上機の揚重装置を示す概略正面図である。
【図７】実施形態例に係る巻上機の揚重装置を示す概略側面図である。
【図８】図６に示す揚重ステージの要部説明図である。
【図９】揚重ステージの変形例を示す説明図である。
【発明を実施するための形態】
【００１２】
発明の実施の形態について図面を参照して説明すると、図１〜図５は本発明の実施形態例に係る揚重装置を用いて巻上機を機械室に搬送する作業手順を示す説明図である。
【００１３】
これら図１〜図５において、１は建屋頂部に設けられた機械室、２は図示せぬ制御盤や巻上機等が設置された機械室床、３は機械室床２に設けられた揚重穴、４は揚重穴３を包囲するように機械室床２上に固定された巻上機ビーム、５は揚重穴３を跨ぐように機械室床２上に設置された門型揚重雇、６は門型揚重雇５に取付けられて水平方向に自在に可動するトロリー、７はトロリー６に固定された電動チェーンブロックであり、これら門型揚重雇５とトロリー６および電動チェーンブロック７によって揚重手段が構成されている。
【００１４】
また、８は機械室１の真下に設けられた昇降路、９は昇降路８内を昇降可能な乗りかご、１０は乗りかご枠、１１は乗りかご床、１２は乗りかご側板、１３は乗りかご天井であり、これら乗りかご枠１０、乗りかご床１１、乗りかご側板１２、乗りかご天井１３は乗りかご９を構成している。
【００１５】
さらに、１４は昇降路８内の鉛直方向に一定の間隔で設けられた主レール固定ブラケット、１５は主レール固定ブラケット１４を用いて昇降路８の側壁に固定された主レール、１６は搬送台車、１７はエレベータのリニューアル用の新規の巻上機であり、搬送台車１６は巻上機１７の下部に固定されて自在に運搬可能となっている。１８は巻上機１７を揚重するための揚重治具、１９は最上階の乗り場床、２０は乗りかご９を所定の高さ位置に固定するための保持具である乗りかご吊りワイヤー、２１は昇降路８内に設置されて搬送台車１６の移動を案内する揚重ステージである。
【００１６】
この揚重ステージ２１の構成を図６〜図９に基づいて説明すると、揚重ステージ２１は、直線状に延びる水平部２１ｃと、水平部２１ｃの一端部から外側に向かって上り勾配で連続する出入口側の傾斜部２１ａと、水平部２１ｃの他端部から外側に向かって上り勾配で連続する昇降路側の傾斜部２１ｂとを有している。また、水平部２１ｃの下面には揚重ステージ固定部２１ｄが設けられており、昇降路側の傾斜部２１ｂの上面には制動部材としてゴムなどの弾性体２１ｅが設けられている。ここで、水平部２１ｃに対する出入口側の傾斜部２１ａの傾斜角度をα１、水平部２１ｃに対する昇降路側の傾斜部２１ｂの傾斜角度をα２とすると、昇降路側の傾斜部２１ｂの傾斜角度α２は出入口側の傾斜部２１ａの傾斜角度α１よりも大きく（α１＜α２）設定されている。
【００１７】
揚重ステージ２１は一枚の板状体であっても良いが、図７に示すように、本実施形態例ではレール状に延びる一対の揚重ステージ２１を用い、これら揚重ステージ２１を図示せぬ継ぎ手などの固定手段を用いて平行に連結した状態で昇降路８内に設置するようにしている。これら揚重ステージ２１は対向間中心に向かって下がるように傾斜が設けられており、揚重ステージ２１の相対向する両側縁部には上方へ突出する立上り部２１ｆが設けられている。詳細については後述するが、揚重ステージ２１は出入口側の傾斜部２１ａの先端を最上階乗り場床１９のレベルに合わせて昇降路８内に設置され、この揚重ステージ２１上を搬送台車１６が移動するようになっている。
【００１８】
搬送台車１６は下面側に４つのローラ１６ａを有しており、この搬送台車１６上に巻上機１７が載置・固定されている。ローラ１６ａは外周面を平坦状や円弧状としたものであるが、図９に示すように、断面形状が円錐台形状のローラ１６ａを用い、そのローラ１６ａの外周面の傾斜角度を揚重ステージ２１の中心に向かって下がる傾斜角と同等に設定しておけば、ローラ１６ａを揚重ステージ２１上に安定的に接触させることができる。
【００１９】
ここで、図６に示すように、巻上機１７の重心Ｇと両ローラ１６ａの中心を結んだ直線によって規定される巻上機１７の転倒角をθとすると、出入口側の傾斜部２１ａの傾斜角度α１と昇降路側の傾斜部２１ｂの傾斜角度α２は、いずれも転倒角θの１／２未満（α１，α２＜θ／２）に設定されている。また、揚重ステージ２１の両傾斜部２１ａ，２１ｂで挟まれた水平部２１ｃの長さをＬ１、昇降路側の傾斜部２１ｂの長さをＬ２、搬送台車１６のローラ１６ａの直径をＤ、両ローラ１６ａ間のピッチをｌとすると、水平部２１ｃの長さＬ１はローラ１６ａのピッチｌにローラ１６ａの直径Ｄの２倍の寸法を加えた長さ（Ｌ１＝ｌ＋２Ｄ）に設定され、昇降路側の傾斜部２１ｂの長さＬ２はローラ１６ａのピッチｌの１／２の１．５倍（Ｌ２＝１．５×（ｌ／２））に設定されている。さらに、図８に示すように、水平部２１ｃと昇降路側の傾斜部２１ｂとの接続端から弾性体２１ｅまでの長さをＬ３とすると、水平部２１ｃの接続端から弾性体２１ｅまでの長さＬ３はローラ１６ａの直径Ｄと同等に設定されている。なお、これらの角度、寸法は目安値であるため調整可能である。
【００２０】
以下、エレベータのリニューアルに際し、新規の巻上機１７を機械室１へ搬入する作業手順について図１〜図５を参照して説明する。
【００２１】
まず、新規の巻上機１７を搬送台車１６に載置したまま、この搬送台車１６を図示しない最下階の乗り場床のレベルで停止している乗りかご９の内部に搬入した後、エレベータを運転して乗りかご９を昇降路８の上方へ移動し、乗りかご９を最上階の乗り場床１９のレベルで停止させる。
【００２２】
次に、新規の巻上機１７を搬送台車１６に載置したまま最上階乗り場床１９に移動させた後、この乗り場床１９で新規の巻上機１７を囲うように図示しない安全柵を設置して第３者の侵入防止を図る。しかる後、この状態で乗りかご９を所定の位置まで下げ、乗りかご吊りワイヤー２０を主レール固定ブラケット１４と乗りかご枠１０の上部を連結するように巻き付け固定することにより、乗りかご９を昇降路８内の所定高さ位置に固定する。
【００２３】
次に、機械室１の所定位置に門型揚重雇５を設置したうえで、乗りかご９と図示しない釣合おもりを連結している主索を取り外し、この状態で機械室１に設置されている図示しない既設の巻上機を門型揚重雇５を用いて揚重・撤去する。なお、主索の取外し作業と既設巻上機の撤去作業については通常のリニューアル作業と同様であるため、ここでは詳細な説明を省略する。
【００２４】
次に、作業者は昇降路８内の所定高さ位置に固定された乗りかご９の乗りかご天井１３に乗り込み、揚重ステージ２１の揚重ステージ固定部２１ｄと主レール１５を図示しないレールクリップで強固に固定することにより、揚重ステージ２１を昇降路８内に設置する。このとき、揚重ステージ２１は出入口側の傾斜部２１ａの先端を最上階乗り場床１９のレベルに合わせて固定する。
【００２５】
次に、作業者は最上階乗り場床１９から機械室１へ移動して門型揚重雇５に取付けられた電動チェーンブロック７を操作し、電動チェーンブロック７の先端のフックが最上階乗り場床１９に仮置きされている巻上機１７の頂部に固定された揚重治具１８と接続可能な位置まで昇降路８内を下ろす。
【００２６】
次に、作業者は機械室１から最上階乗り場床１９に移動した後、図１に示すように、最上階乗り場床１９に仮置きされた巻上機１７の揚重治具１８に電動チェーンブロック７の先端のフックを引掛ける。
【００２７】
次に、作業者は再び機械室１に移動した後、電動チェーンブロック７を巻上げるように操作すると、電動チェーンブロック７に接続された巻上機１７が徐々に昇降路８内に引き込まれていく。その結果、図２に示すように、巻上機１７を載置した搬送台車１６が最上階乗り場床１９から揚重ステージ２１の出入口側の傾斜部２１ａへと導かれ、出入口側の傾斜部２１ａの下り勾配に沿って揚重ステージ２１上を昇降路８内に向かって転動する。このとき、出入口側の傾斜部２１ａの傾斜角度α１が巻上機１７の転倒角θの１／２未満（α１＜θ／２）に設定されているため、搬送台車１６に載置された巻上機１７は出入口側の傾斜部２１ａ上を転倒することなく移動する。
【００２８】
このように出入口側の傾斜部２１ａ上を転動した搬送台車１６は、図３に示すように、２箇所の傾斜部２１ａ，２１ｂを接続する水平部２１ｃ上を転動しながら通過した後、昇降路壁側の傾斜部２１ｂに乗り上げる。このとき、昇降路側の傾斜部２１ｂの傾斜角度α２も巻上機１７の転倒角θの１／２未満（α２＜θ／２）に設定されているため、巻上機１７は昇降路壁側の傾斜部２１ｂ上を転倒することなく移動する。また、水平部２１ｃの長さＬ１がローラ１６ａのピッチｌにローラ１６ａの直径Ｄの２倍の寸法を加えた長さ（Ｌ１＝ｌ＋２Ｄ）に設定されており、水平部２１ｃの両端の角度変化部分を通過するときの寸法裕度があるため、搬送台車１６の進行方向に沿って並んだ２つのローラ１６ａが同時に傾斜部２１ａ，２１ｂに掛かることはなく、急激な体勢変化や急減速が発生せずにスムーズな搬送台車１６の転動が可能となる。
【００２９】
また、昇降路側の傾斜部２１ｂの長さＬ２がローラ１６ａのピッチｌの１／２の１．５倍（Ｌ２＝１．５×（ｌ／２））に設定されているため、巻上機１７の中心が水平部２１ｃと昇降路壁側の傾斜部２１ｂとの接続部を超えたとしても、巻上機１７が揚重ステージ２１上から脱落しない裕度がある。また、水平部２１ｃの接続端から弾性体２１ｅまでの長さＬ３はローラ１６ａの直径Ｄと同等に設定されて寸法に裕度があるため、ローラ１６ａが水平部２１ｃ上を勢い良く転がって昇降路壁側の傾斜部２１ｂに乗り上げたとしても、巻上機１７は急減速することなく停止することができる。
【００３０】
さらに、側面から見ると対向するように配置された一対の揚重ステージ２１は、対向間中心に向かって下がるように傾斜が設けられていると共に、これら揚重ステージ２１の相対向する両側縁部に上方へ突出する立上り部２１ｆが設けられているため、巻上機１７は常に側面中心に向かう力を受けながら揚重ステージ２１上を移動し、ローラ１６ａは揚重ステージ２１から脱落することなく転動することが可能となる。なお、図９に示すような円錐台形状のローラ１６ａを用いると、ローラ１６ａを揚重ステージ２１上に安定的に接触させることができる。
【００３１】
このようにして巻上機１７は昇降路壁側の傾斜部２１ｂで一旦停止した後、図４に示すように、昇降路壁側の傾斜部２１ｂの下り勾配に沿って逆向きに移動して水平部２１ｃのほぼ中心位置に自動的に停止する。
【００３２】
次に、図５に示すように、作業者は電動チェーンブロック７を操作して巻上機１７を昇降路８の上方へ吊上げる。このとき、電動チェーンブロック７は門型揚重雇５に水平方向へ移動可能に取付けられたトロリー６に固定されているため、巻上機１７は機械室床２の揚重穴３を通過して機械室１までスムーズに揚重され、この巻上機１７を巻上機ビーム４の所定位置に載置することができる。
【００３３】
以上説明したように、本発明の実施形態例に係る巻上機の揚重装置は、巻上機１７が搭載された搬送台車１６と、搬送台車１６を昇降路８内に案内する揚重ステージ２１と、揚重ステージ２１上に搬送された巻上機１７を昇降路８の頂部に設置された機械室１に吊り上げる揚重手段（門型揚重雇５とトロリー６および電動チェーンブロック７）とを備え、揚重ステージ２１が、搬送台車１６が載置される水平部２１ｃと、水平部２１ｃの一端部から外側に向かって上り勾配で連続する出入口側の傾斜部２１ａと、水平部２１ｃの他端部から外側に向かって上り勾配で連続する昇降路側の傾斜部２１ｂとを有しているため、昇降路８内に揚重ステージ２１を設置した状態で巻上機１７を吊上げるようにすれば、巻上機１７を昇降路８内に搬送するための作業者を引き込み階のエレベータホールに配置しなくても、ひとりの作業で巻上機１７を機械室１まで揚重することが可能となる。しかも、引き込み階のエレベータホールの作業者が人力で巻上機１７を支える必要もないため、作業者が昇降路８内へ転落する危険性もなくなり、新規の巻上機１７を短時間で簡単かつ安全に機械室１まで揚重することができる。
【００３４】
また、揚重ステージ２１の水平部２１ｃに対する昇降路側の傾斜部２１ｂの傾斜角度α２が出入口側の傾斜部２１ａの傾斜角度α１よりも大きく設定されているため、出入口側の傾斜部２１ａから水平部２１ｃを通過した巻上機１７を昇降路側の傾斜部２１ｂの傾斜角によって確実に減速させることができる。しかも、昇降路側の傾斜部１ｂの上面に制動部材としての弾性体２１ｅが設けられているため、巻上機１７を昇降路側の傾斜部２１ｂ上で効果的に減速・停止させることができる。さらに、搬送台車１６が揚重ステージ２１上を転動する複数のローラ１６ａを有しており、揚重ステージ２１の側縁部に上方へ突出する立上り部２１ｆが設けられているため、ローラ１６ａの脱落を確実に防止することができる。
【００３５】
また、本発明の実施形態例に係る巻上機の揚重方法は、搬送台車１６に搭載した巻上機１７を乗りかご９内に搬入して最上階または最上階近辺の階まで搬送する工程と、乗りかご９内に搬入した巻上機１７を搬送台車１６に搭載したまま最上階または最上階近辺の乗り場床１９に搬出する工程と、乗りかご９を最上階または最上階近辺の階の下方位置に停止させた状態で、該乗りかご９の上方の昇降路８内に揚重ステージ２１を設置する工程と、搬送台車１６を揚重ステージ２１上に移動して巻上機１７を昇降路８内に搬入する工程と、昇降路８の頂部の機械室１に設置された揚重装置によって巻上機１７を昇降路８内で吊り上げる工程とを備え、揚重ステージ２１は、搬送台車１６が載置される水平部２１ｃと、水平部２１ｃの一端部から外側に向かって上り勾配で連続する出入口側の傾斜部２１ａと、水平部２１ｃの他端部から外側に向かって上り勾配で連続する昇降路側の傾斜部２１ｂとを有し、出入口側の傾斜部２１ａの端部を記最上階または最上階近辺の階の床レベルに合わせた状態で揚重ステージ２１が昇降路８内に固定されるようになっているため、エレベータのリニューアルに際し、既設の乗りかご９を使用して新規の巻上機１７を最上階または最上階近辺の階まで搬送した後、当該位置の近傍に停止させた乗りかご９の上部に揚重ステージ２１に固定すれば、巻上機１７を昇降路８内に搬送するための作業者を引き込み階のエレベータホールに配置しなくても、ひとりの作業で巻上機１７を機械室１まで揚重することが可能となる。しかも、引き込み階のエレベータホールの作業者が人力で巻上機１７を支える必要もないため、作業者が昇降路８内へ転落する危険性もなくなり、新規の巻上機１７を短時間で簡単かつ安全に機械室１まで揚重することができる。
【００３６】
以上、本発明の実施形態例を説明してきたが、これまでの実施形態例で説明した構成はあくまで一例であり、本発明は、技術思想を逸脱しない範囲内で適宜変更が可能である。
【符号の説明】
【００３７】
１  機械室
２  機械室床
３  揚重穴
４  巻上機ビーム
５  門型揚重雇
６  トロリー
７  電動チェーンブロック
８  昇降路
９  乗りかご
１０  乗りかご枠
１１  乗りかご床
１２  乗りかご側板
１３  乗りかご天井
１４  主レール固定ブラケット
１５  主レール
１６  搬送台車
１６ａ  ローラ
１７  新規の巻上機
１８  揚重治具
１９  最上階乗り場床
２０  乗りかご吊りワイヤー（保持具）
２１  揚重ステージ
２１ａ  出入口側の傾斜部
２１ｂ  昇降路壁側の傾斜部
２１ｃ  水平部
２１ｄ  揚重ステージ固定部
２１ｅ  弾性体（制動部材）
２１ｆ  立上り部
【図１】
2017171457.tif 000003
【図２】
2017171457.tif 000004
【図３】
2017171457.tif 000005
【図４】
2017171457.tif 000006
【図５】
2017171457.tif 000007
【図６】
2017171457.tif 000008
【図７】
2017171457.tif 000009
【図８】
2017171457.tif 000010
【図９】
2017171457.tif 000011